(57)【特許請求の範囲】
【請求項１】
真空処理室と、
該真空処理室内に配置され、試料を載置する試料台と、
前記真空処理室に処理ガスを導入するガス導入手段と、を備え、
前記真空処理室内に高周波電力を供給してプラズマを生成し、前記生成されたプラズマにより前記試料台上に載置された試料にプラズマ処理を施すプラズマ処理装置において、
前記試料台は、前記試料を載置する載置部と前記載置部の外周に配置されたリング状の試料台外周カバーと内部を加熱する加熱機構と内部を冷却する第一の冷却機構とを備え、
前記試料台外周カバーは、前記加熱機構と独立して内部を加熱するヒータと、前記第一の冷却機構と独立して冷媒により内部を冷却する第二の冷却機構と、を含む、
ことを特徴とするプラズマ処理装置。
【請求項２】
真空処理室と、
該真空処理室内に配置され、試料を載置する試料台と、
前記真空処理室に処理ガスを導入するガス導入手段と、を備え、
前記真空処理室内に高周波電力を供給してプラズマを生成し、前記生成されたプラズマにより前記試料台上に載置された試料にプラズマ処理を施すプラズマ処理装置において、
前記試料台は、前記試料を載置する載置部及び前記載置部の外周に配置されたリング状の試料台外周カバーを備え、
前記試料台外周カバーは、当該試料台外周カバーの内部に加熱機構及び冷却機構を含み、
前記加熱機構は、前記プラズマが発生すると、設定した一定温度に安定するように、前記プラズマからの入熱に対応して当該加熱機構の出力を抑えて前記試料台外周カバーを加熱し、
前記冷却機構は、前記試料台外周カバーを冷却する、
ことを特徴とするプラズマ処理装置。
【請求項３】
真空処理室と、
該真空処理室内に配置され、試料を載置する試料台と、
前記真空処理室に処理ガスを導入するガス導入手段と、を備え、
前記真空処理室内に高周波電力を供給してプラズマを生成し、前記生成されたプラズマにより前記試料台上に載置された試料にプラズマ処理を施すプラズマ処理装置において、
前記試料台は、前記試料を載置する載置部及び前記載置部の外周に配置されたリング状の試料台外周カバーを備え、
前記試料台外周カバーは、当該試料台外周カバーの内部に加熱機構及び冷却機構を含み、
前記加熱機構は、エッチング条件で温度を変更する場合、設定した温度に安定するように、当該加熱機構の出力を抑えて前記試料台外周カバーを加熱し、
前記冷却機構は、前記試料台外周カバーを冷却する、
ことを特徴とするプラズマ処理装置。
【請求項４】
請求項１ないし請求項３のいずれか一項に記載のプラズマ処理装置において、
前記試料台は、前記試料台外周カバーの表面を覆うシールドを更に備え、
前記試料台外周カバーは、当該試料台外周カバーの内部に、前記シールドを静電吸着するための電極を含む、
ことを特徴とするプラズマ処理装置。
【請求項５】
請求項１ないし請求項４のいずれか一項に記載のプラズマ処理装置において、
前記試料台と前記試料台外周カバーとの間に配置される絶縁体の部材を更に備える、ことを特徴とするプラズマ処理装置。
【請求項６】
請求項２または請求項３に記載のプラズマ処理装置において、
前記加熱機構は、ヒータを有し、
前記冷却機構は、冷媒流路を有する、
ことを特徴とするプラズマ処理装置。
【発明の詳細な説明】
【技術分野】
【０００１】
本発明は、プラズマ処理装置に係り、特に試料を均一に加工することのできる試料台を備えたプラズマ処理装置に関する。
【背景技術】
【０００２】
半導体処理の分野では、ウエハ上に形成される微細構造について、ウエハ面内での均一な加工が求められている。加工の均一性は、プラズマ密度分布、あるいはウエハの面内における温度分布などを調整することで改善されてきた。
【０００３】
特許文献１には、試料台の外周を被覆する試料台外周カバー（フォーカスリング）内に配管を設置し、該配管内に液体の媒体を流すことで、試料台外周カバーを冷却して、温度調節するエッチング装置が開示されている。この装置では、前記液体の媒体を冷却するチラーによって媒体の温度を設定し、これにより試料台外周カバーの温度が調整される。
【先行技術文献】
【特許文献】
【０００４】
【特許文献１】特開平１１−３３００４７号公報
【発明の開示】
【発明が解決しようとする課題】
【０００５】
近年の半導体加工では、各種の材料からなる多数の層に対してそれぞれ加工条件を切り替えて処理が施される。プラズマエッチングの場合は、エッチング処理の条件（例えばプラズマの励起パワー、使用ガスの種類またその混合比、ガス圧力、バイアス出力、電極あるいはリアクタ壁等の温度設定等）が変更される。このとき、ウエハ面内における加工をナノメートルないしサブナノメートルのオーダーで均一化するためには、試料台外周カバーの温度を各加工ステップにおいて最適となるよう設定する必要がある。また、各加工ステップの処理時間は数秒から数分であるので、高速に試料台外周カバーの温度を調節する必要がある。
【０００６】
ところで、一般的なチラーによる冷媒自体の温度変更の速度は１分間に２℃から５℃程度である。しかし、チラーに、電極や試料台外周カバー等の負荷を接続し、実際に加工処理を行うとその負荷の温度変化は１分間に０．１℃から０．００１℃程度まで落ち込むことがある。特に負荷が試料台外周カバーの場合は、熱伝導率の低い材料が用いられるため、その表面の温度の調整速度は著しく遅くなる。
【０００７】
このため、多数の加工ステップに対応しながらウエハ外周部での加工を均一にするためには、試料台外周カバー部の温度を高速に変更することが求められる。
【０００８】
また、最近の半導体デバイスには多種の新材料、例えば高誘電率材料や磁性体材料等の難エッチング性の材料が使用される。難エッチング性の材料は、その蒸気圧が非常に低く、また反応性に乏しく、常温付近ではエッチング速度が非常に遅くエッチングが困難である。このため、これらの難エッチング性の材料をエッチングするには、ウエハ温度を１００℃から５００℃の高温に設定しなければならない。
【０００９】
このような高温の条件においてウエハに均一な処理を施すためには、試料台外周カバーを液体媒体による加熱の上限を超える温度に設定する必要が生じる。さらに、加工処理後における試料台外周カバー部のクリーニング処理においても、試料台外周カバーの表面を高温に加熱しなければならない。
【００１０】
また、近年では、ウエハの大口径化と半導体加工装置や設備の高コスト化に対応するため歩留まりの向上が求められ、また、均一な加工、特にウエハ外周部における微細構造の均一性について更なる向上が求められている。
【００１１】
一般的に、微細パターンの加工形状はウエハ外周部分で大きく変化する。例えば、ウエハの中心部分では入射する各粒子の割合や速度分布（角度分布とエネルギー分布）は均一になりやすいのに対し、ウエハの外周部分では前記粒子の種類や分布は不均一になりやすいからである。また、ウエハと試料台の外周を被覆する試料台外周カバー間での材質の違いあるいは温度の違いがある場合、それらの違いによりウエハの外周付近における各種ラジカルの分布は不均一になる。
【００１２】
本発明は、これらの問題点に鑑みてなされたもので、試料台外周カバー内に該カバーを加熱および冷却する加熱機構および冷却機構を配置し、試料台外周カバーを試料の温度とは独立に、かつ高速に温度調整することのできるプラズマ処理装置を提供するものである。
【課題を解決するための手段】
【００１３】
本発明は上記課題を解決するため、次のような手段を採用した。
【００１４】
真空処理室と、該真空処理室内に配置され、試料を載置する試料台と、前記真空処理室に処理ガスを導入するガス導入手段と、を備え、前記真空処理室内に高周波電力を供給してプラズマを生成し、前記生成されたプラズマにより前記試料台上に載置された試料にプラズマ処理を施すプラズマ処理装置において、前記試料台は、前記試料を載置する載置部と前記載置部の外周に配置されたリング状の試料台外周カバーと内部を加熱する加熱機構と内部を冷却する第一の冷却機構とを備え、前記試料台外周カバーは、前記加熱機構と独立して内部を加熱するヒータと、前記第一の冷却機構と独立して冷媒により内部を冷却する第二の冷却機構と、を含む、ことを特徴とする。
【発明の効果】
【００１５】
本発明は、以上の構成を備えるため、試料台外周カバーを試料の温度とは独立にかつ高速に温度調整することができる。
【発明を実施するための形態】
【００１６】
以下、最良の実施形態を添付図面を参照しながら説明する。図１は、本発明の第１の実施形態にかかるプラズマ処理装置を示す図である。この装置は試料（ウエハ）を支持し処理するための下部電極として試料台１と試料台外周カバー３を備える。試料台外周カバー３は、その内部に加熱機構４と冷却機構５を備える。
【００１７】
加熱機構４としては、シーズヒータあるいは溶射ヒータ等のヒータを用いることができる。冷却機構５としては、液体冷却用の流路を設け該流路に冷媒を流す等の形式の冷却機構を用いることができる。
【００１８】
また、プラズマ処理装置は、平板電極、磁場生成用コイル、マイクロ波の導波路等の図示しないプラズマ生成手段と処理壁１０を備えており、試料台１の周囲の空間にプラズマを生成する。試料２は試料台１の上に設置され、静電チャックやクランプ等を用いて固定される。試料台１は、その内部に、前記加熱機構４及び冷却機構５と同様な加熱機構及び冷却機構を備えることで、その温度は調節される。
【００１９】
試料２と試料台１の境界にはヘリウム等の伝熱ガスを流して試料２と試料台１の間の熱伝達を促進することで試料２の温度が調節される。試料台外周カバー３は、その下にある試料台１の上に（試料台外周カバー３とその下にある試料台１間に伝熱ガスを供給することなく）単に置かれているだけであり、その重力及び試料台との摩擦により所定位置に保持されている。
【００２０】
前記試料台１は、載置する試料よりも大径の試料台基台部１ａと該試料台基台部１ａ上に所定高さ突出して形成した前記試料２よりも小径の試料載置部１ｂを備える。また、前記試料台基台部１ａの上面に突出して形成された試料載置部１ｂの外周および前記試料台基台部１ａの外周には、上述したようにそれらをリング状に被覆する試料台外周カバー３を備える。
【００２１】
試料２は、試料台外周カバー３の表面に達するように、試料載置部１ｂの上に設置され固定される。これは試料台１と静電チャックをプラズマの侵食から守るためである。一般的に、試料台外周カバー３の上に位置する試料２の外周部分の半径方向長さは１ｍｍから１０ｍｍ程度である。
【００２２】
試料２が試料台外周カバー３の一部の上に位置し、かつ試料台外周カバー３を高温に加熱して使用する場合には、試料台外周カバー３が熱膨張して試料を持ち上げてしまわないように、試料台外周カバー３と試料２との間に十分な隙間が与えておくことが必要である。なお、この間隙は、試料の裏面からの微粒子の放出あるいは試料台と試料台に備えられている静電チャックへのプラズマによる侵食を防ぐため、外周カバー３の熱膨張によって試料２を持ち上げることがない長さを持った上で、できるだけ狭い方が良い。
【００２３】
試料２より外側の試料台外周カバー３の表面の高さと形状は任意であるが、試料２の裏面へのプラズマの侵食を防ぎ、試料２の外周部でのプラズマを均一にすることを考慮すると、試料台外周カバー３の外周部の表面は試料２より高くする方が良い。試料台外周カバー３の外周部の表面を試料２より高くする場合には、試料２が熱膨張によって試料台外周カバーに接触し試料が持ち上がってしまうことと、試料の裏面へのプラズマの侵食を防ぐことを考慮して、試料２の側面と試料台外周カバー３の間にも必要最小限の隙間を設定するのが好ましい。
【００２４】
試料台外周カバー３は、プラズマからの入熱と、加熱機構４および冷却機構５から伝達される熱衝撃より発生する応力に耐える必要がある。さらに試料台１と試料台外周カバー３の熱による膨張と収縮により、試料台１と試料台外周カバー３の間で応力が発生する場合には、その応力に耐えうる材料を試料台１と試料台外周カバー３に用いるか、試料台１と試料台外周カバー３の間に隙間を設けておくべきである。
【００２５】
一般的に試料台外周カバーには酸化ケイ素やアルミナ等の絶縁性材料が用いられる。絶縁性材料は熱伝導率が低く、このため、温度調整の時定数が非常に長くなる。しかしながら、本実施形態では、プラズマに曝される試料台外周カバー３の表面付近の試料台外周カバー内部に加熱機構４および冷却機構５を設ける。このため、試料台外周カバー３の表面の温度を高速に調節することができる。
【００２６】
また、試料台外周カバー３と試料台１との間の熱の移動は小さいので、試料台外周カバー３の熱が試料台１を通して試料に伝達して影響を与えることはほとんどない。また、試料２あるいは試料台１の熱が試料台外周カバー３に伝達して影響を与えることもほとんどない。このため、試料２と試料台外周カバー３とは、温度を独立に調節することができる。また、試料裏面のヘリウムガスの圧力を調整すること、および試料台１の温度を調節することにより試料２の温度を均一または所望の分布としながら、試料２と試料台外周カバー３が所望の温度差を持つように調節することができる。
【００２７】
さらに、加熱機構４と冷却機構５の出力を制御することによって、より高速に試料台外周カバー３の温度を調節することができ、さらに所望の温度で安定化させることができる。試料台外周カバー１は試料台外周カバーの温度を計測する図示しない計測部を備えており、該計測部により計測された温度を用いて加熱機構および冷却機構についてフィードバック制御等を行うことで、試料台外周カバー３の温度の調節を行うことができる。
【００２８】
図２，３は、横軸を電極の径方向とし、試料台外周カバー表面の温度Ｔｓを変化させたときのラジカル分布の変化とＣＤ値の変化の概要を示す図である。
【００２９】
前述のように、試料面内における微細パターンの均一な加工の実現には、その加工に合わせた最適なラジカル分布を実現する必要がある。
【００３０】
図２に示すように、試料台外周カバーの温度を変更することでその表面温度に対応したラジカル分布を実現することができる。例えば、図３のＴｓ＝５０℃のときのＣＤ値の径方向分布に示されるように、試料台外周カバーの温度を５０℃に調節することで試料面内のＣＤ値を均一化することができる。
【００３１】
ここで、本実施形態にかかる試料台外周カバー３の温度調節の機能について説明する。図４ないし図７は、加熱機構４としてヒータ（電熱ヒータ）を用い、冷却機構５として冷媒用流路を用いた場合の試料処理中における各部の温度変化を示したものである。
【００３２】
図４および図６は冷却機構のみを使用して温度を調節した場合、図５および図７は冷却機構と加熱機構の両方を使用して温度を設定した場合である。また図４および図５は試料処理を開始した場合であり、図６および図７は試料処理中にステップ切り替えをした場合の温度変化である。
【００３３】
図４に示すように、冷媒のみで試料台外周カバー表面の温度を一定に調整する場合にはプラズマからの入熱によって、試料台外周カバー表面の温度は徐々に上昇する。一方、図５に示すように、ヒータと冷媒の両方を用いて一定温度に調整する場合には、プラズマからの入熱に対応してヒータの出力を抑えることで、設定した温度に安定させることができる。
【００３４】
ヒータによる試料台外周カバーの加熱機構は、ヒータ自身が試料台外周カバーに熱的に結合した直接的な加熱であり、その発熱量はヒータへ供給する電力に比例する。さらにヒータの発熱部の熱容量が小さいために、供給電力の増減に対するヒータ温度の応答性は非常に速く、例えばヒータ自身の温度は一秒間あたり１００度以上の昇温が容易に可能である。
【００３５】
一方、チラーによる冷却は、チラー内部の冷却源で液体媒体の熱を奪いその冷媒によって試料台外周カバーの熱を奪うという冷媒を用いた間接的な冷却方式である。さらに冷媒の熱容量はヒータの熱容量に比べ非常に大きいため、温度制御の応答性はゆるやかとなる。このため、試料台外周カバーに加熱機構と冷却機構を設け、そのいずれか（もしくは両方）を温度調整の応答性の高い構造とし、両者の出力の制御を行うことで、試料処理中の試料台外周カバーの温度を高速に所望の温度に設定でき、プラズマからの入熱を相殺しながら設定温度に安定させることができる。
【００３６】
なお、プラズマからの熱を除去するために冷媒の温度を下げて使用する場合は、試料台外周カバー部の温度の応答性は前述のチラーの冷却速度に律束される。チラーの冷却に関する応答性は前述のようにヒータに比べて非常に遅いため、温度を設定温度に保つための調整は困難となる。
【００３７】
図６および図７はエッチング条件の異なる２つの加工ステップ間で温度を変更する場合を示す。継続期間が数秒から数分間である各加工ステップに対応して、試料台外周カバーの温度を応答性よく調節するためには、図７に示すように、ヒータ等の加熱機構と液体冷却等による冷却機構の２つを設け、その両者の温度を制御することが好ましい。これにより、加工中の各ステップに最適な温度を提供し、その最適温度で安定させることができる。また、試料処理とクリーニング処理の切り換え時等においても、それぞれの処理に対して最適な温度に設定することもできる。
【００３８】
さらに難エッチング性の材料の加工時に要求される高温領域においても、高速な温度調節を行うことが可能であり、難エッチング性の材料が試料台外周カバー表面に堆積した場合のクリーニングも効率的に行うことができる。
【００３９】
なお、試料台外周カバー３の材料としては、任意の絶縁体を用いることができる。石英等の熱膨張率の小さく熱衝撃に強い材料を用いることにより、試料台外周カバーの膨張と収縮を抑えることができる。
【００４０】
また、試料台外周カバー３の材料として任意の金属や半導体を用いることができる。この場合は試料台へ印加されるバイアスパワーを試料台外周カバー３を通してプラズマへ結合することができる。また金属材料を用いることで、試料台外周カバー３の加工が容易となりコストを抑えることができる。さらに後述するように、試料台外周カバー３と試料台１の間に絶縁部材を配置することにより、試料台外周カバー３を通してプラズマに結合するバイアス出力を調節することができる。
【００４１】
さらに、試料台外周カバー３の材料として、任意の金属や半導体にめっきをしたり、あるいは溶射等による絶縁膜を被覆したものとすることができる。この場合は、導電性材料の母材と絶縁膜の熱膨張係数の違いによって起こる絶縁膜のひび割れや剥離に耐えられる範囲内で温度を調節する必要がある。このような場合には、前記絶縁膜はプラズマへの暴露に耐えられる組成とするのが好ましい。また、試料台外周カバー３の表面を研磨して平滑化することにより、試料処理中に試料台外周カバー３の表面にできる堆積膜や試料台外周カバー３から放出される微粒子を少なくすることができる。
【００４２】
図８ないし図１５は、他の実施形態を説明する図である。
【００４３】
図８は、試料台外周カバー３内に加熱機構４および冷却機構５を配置した例を示す。加熱機構４および冷却機構５は、試料台外周カバー３の内部において、任意の大きさ、形状、方向とすることができる。さらに加熱機構４および冷却機構５は試料台外周カバー３の内部において、それぞれ規則的または不規則に蛇行した形で埋設することができる。
【００４４】
図９は、試料台外周カバー３内に冷却機構５として、冷媒を流すための配管６を埋設した例を示す図である。冷却機構５の配管６は、配管と試料台外周カバー３間は熱の伝導を促進するために、溶着あるいはエラストマー接着剤を用いて接着するのが好ましい。
【００４５】
図１０は、試料台外周カバー３内に複数の加熱機構７と複数の冷却機構８を設けた例を示す図である。複数の冷却機構を構成する複数の配管はそれぞれ独立して形成するか、または試料台外周カバーの任意の箇所でその一部または全部を直列または並列に接続して構成することができる。複数の加熱機構を構成するヒータについても同様に構成することができる。
【００４６】
図１１は、試料台外周カバーを分割して構成した例を示す図である。図に示すように、試料台外周カバー３は上部試料台外周カバー３ａ、下部試料台外周カバー３ｂに分割され、上部試料台外周カバー３ａ内に加熱機構４を配置し、下部試料台外周カバー３ｂ内に冷却機構および静電チャック用の電極９を設ける。
【００４７】
この例では、上下に分割した試料台外周カバーの間の熱の伝導を促進するために、下部試料台外周カバー３ｂ内に静電チャック用電極を配置し、静電吸着力により上下の外周カバーを吸着固定する。なお、上下に分割した試料台外周カバーの間にガスを流して両者間の熱の伝導を促進させることができる。
【００４８】
この例では、プラズマに曝される上部試料台外周カバー３ａはプラズマによる侵食に耐える材料で構成する必要があるが、下部試料台外周カバー３ｂはプラズマに曝されることが少ないことから、プラズマによる侵食に弱い材料を用いることができる。
【００４９】
図１２は、試料台外周カバー３の表面にシールド１２を配置した例を示す図である。この例では、さらに、試料台外周カバー３内に配置した静電チャック用電極９により試料台外周カバー３とシールド１２を吸着固定する。なお、熱の伝導を促進するために試料台外周カバー３とシールド１２の間にガスを流して両者間の熱の伝導を促進させることができる。なお、シールド１２は加熱機構や冷却機構を持たないため、シールド１２がプラズマによって侵食され劣化した場合等において簡易に交換することができる。
【００５０】
図１３は、試料台外周カバー３と試料台１の間に絶縁部材１３を備える例を示す図である。試料台外周カバー３として導電性材料または導電性材料表面に絶縁膜を備えるものを用いた場合においては、前記絶縁部材１３を配置することにより、試料台１に印加されるバイアスパワーの試料台外周カバー３への結合を遮断また減衰させることができる。
【００５１】
図１４は、前記試料台上部と向かい合う前記外周カバーの面に、外周カバーを冷却するための冷却機構および外周カバーを加熱するための加熱機構を熱的に接触させながら固定した例を示す図である。この例では、試料台外周カバー３は試料台の上に単に置かれているため、前述のように試料２とは独立して試料台外周カバー３の温度を調節することができる。
【００５２】
図１５は、試料台外周カバーを分割して構成した例を示す図である。図に示すように、試料台外周カバー３は上部試料台外周カバー３ａ、下部試料台外周カバー３ｂに分割され、上部試料台外周カバー３ａ内に加熱機構４を配置し、上部および下部試料台外周カバーの接合部に冷却機構５を構成する溝を配置する。
【００５３】
上部試料台外周カバー３ａと下部試料台外周カバー３ｂの間に形成された冷却機構５を構成する溝はＯリング１７およびネジ１６によってシールされている。加熱機構４は上部試料台外周カバー３ａまたは下部試料台外周カバー３ｂのいずれかに埋設することができる。
【００５４】
以上説明したように、本発明の実施形態によれば、試料台外周カバーの温度を試料の温度と独立して調整でき、かつ所望の設定温度へ高速に調節でき、その設定温度で安定させることができる。これにより、ウエハ処理中における各ステップに最適なラジカル分布を実現することができるため、ウエハ上の微細パターンの加工において、その面内分布を試料の中央部から外周部にいたるまで均一化できる。さらに難エッチング性材料の加工あるいはプラズマクリーニング処理に求められる高温雰囲気中にておいも、同様の効果を得ることができる。このため処理チャンバのクリーニング処理の短縮化を図り、生産性を向上することができ、難エッチング材料の堆積物のクリーニングも可能となる。
【図面の簡単な説明】
【００５５】
【図１】第１の実施形態にかかるプラズマ処理装置を説明する図である。
【図２】ラジカル分布の変化とＣＤ値の変化の概要を示す図である。
【図３】ラジカル分布の変化とＣＤ値の変化の概要を示す図である。
【図４】加熱機構としてヒータを用い、冷却機構として冷媒用流路を用いた場合の試料処理中における各部の温度変化を示した図である。
【図５】加熱機構としてヒータを用い、冷却機構として冷媒用流路を用いた場合の試料処理中における各部の温度変化を示した図である。
【図６】加熱機構としてヒータを用い、冷却機構として冷媒用流路を用いた場合の試料処理中における各部の温度変化を示した図である。
【図７】加熱機構としてヒータを用い、冷却機構として冷媒用流路を用いた場合の試料処理中における各部の温度変化を示した図である。
【図８】他の実施形態を示す図である。
【図９】他の実施形態を示す図である。
【図１０】他の実施形態を示す図である。
【図１１】他の実施形態を示す図である。
【図１２】他の実施形態を示す図である。
【図１３】他の実施形態を示す図である。
【図１４】他の実施形態を示す図である。
【図１５】他の実施形態を示す図である。
【符号の説明】
【００５６】
１  試料台
２  試料
３  試料台外周カバー
３ａ  上部試料台外周カバー
３ｂ  下部試料台外周カバー
４  加熱機構
５  冷却機構
６  冷却機構用配管
７  複数の加熱機構
８  複数の冷却機構
９  試料台外周カバー用静電チャック電極
１０  処理室壁
１２  シールド
１３  絶縁部材
１４  加熱機構
１５  冷却機構
１６  ネジ
１７  Ｏリング
【図１】
0005696183.tif 000002
【図２】
0005696183.tif 000003
【図３】
0005696183.tif 000004
【図４】
0005696183.tif 000005
【図５】
0005696183.tif 000006
【図６】
0005696183.tif 000007
【図７】
0005696183.tif 000008
【図８】
0005696183.tif 000009
【図９】
0005696183.tif 000010
【図１０】
0005696183.tif 000011
【図１１】
0005696183.tif 000012
【図１２】
0005696183.tif 000013
【図１３】
0005696183.tif 000014
【図１４】
0005696183.tif 000015
【図１５】
0005696183.tif 000016